(57)【要約】【課題】行動の記録とスケジュールの作成・利用を容易に行える情報システムを提供する。【解決手段】ＩＣカードリーダ／ライタ内蔵装置２０はＩＣカード１０に記憶された個人情報を読み取り、その個人情報に装置２０の利用態様を示す情報を付加した利用情報を生成してインターネット５０を介して個人情報サーバ３２へ送信する。また、決済が必要な場合には決済情報を決済サーバ３４へ送信し、ポイントの加減算が必要な場合にはその旨を示すポイント情報をポイントサーバ３６へ送信する。個人情報サーバ３２は、受信した利用情報を記憶し、個人スケジュールサーバ４０へ送信する。個人スケジュールサーバ４０は、各個人用のスケジュール情報を抽出してスケジュール帳を生成し、Ｗｅｂ上で配信する。したがってＩＣカード１０の所有者の行動の記録を自動的に行うことができ、ＰＤＡ，ＰＣ等のブラウザでスケジュール帳に表示させることができる。【選択図】図１
2010160812.tif 000002
【特許請求の範囲】
【請求項１】
利用者を特定するための利用者特定情報を読み取る利用者特定情報読取装置と、
前記利用者のスケジュールを管理するスケジュールサーバとを備え、
前記利用者特定情報読取装置は、読み取った前記利用者特定情報と、その読み取り日時を特定するための読取日時特定情報と、前記利用者特定情報の利用態様を示す利用態様情報とを含む利用情報を前記スケジュールサーバに送信し、
前記スケジュールサーバは、受信した前記利用情報に基づいて行動記録または行動予定の少なくともいずれか一方を含むスケジュールを生成して記憶し、該スケジュールをネットワークを介して送信可能であること
を特徴とする情報システム。
【発明の詳細な説明】
【技術分野】
【０００１】
個人のスケジュールを記録し、利用する情報システム等に関する。
【背景技術】
【０００２】
【発明の概要】
【発明が解決しようとする課題】
【０００３】
従来より、予定や日記を入力し、個人の予定または過去の出来事を記録するコンピュータシステムが知られている。このようなシステムでは、例えば、キーボード等から予定を入力し、その予定通りに行動したかを再度入力して、個人のスケジュールを管理し、行動の記録を行っていた。
【０００４】
そのため、予定や行動の記録を入力し忘れたり、いちいち入力するのが面倒であったり、事後に行動内容を思い出して入力するためその内容が不正確なる場合があるといった問題があった。
【０００５】
そこで本発明は、個人のスケジュールの入力や利用、行動の記録などを自動的かつ簡単に行うことができる情報システムを提供することを目的とする。
【課題を解決するための手段】
【０００６】
上述した問題点を解決するためになされた請求項１に記載の情報システムは、利用者を特定するための利用者特定情報読取装置とスケジュールサーバとを備える。利用者特定情報読取装置は、利用者が所持する利用者特定情報記憶装置から利用者特定情報を読み取る読取装置、または、利用者自身から利用者特定情報を読み取る読取装置である。利用者特定情報記憶装置としては、例えば、利用者特定情報を記録した磁気カードやＩＣカード、RFID（radio frequency identification）タグ等が挙げられる。また利用者自身から読み取る読取装置とは、例えば、指紋、掌紋、虹彩、顔、声紋、署名等の利用者の生体情報を読み取る装置である。利用者特定情報は、例えば利用者ＩＤや上述した生体情報のように利用者を特定（識別）可能な情報であればよい。
【０００７】
利用者特定情報読取装置は、請求項１に示すように、読み取った利用者特定情報と読取日時特定情報と利用態様情報とを含む利用情報をスケジュールサーバへ送信する。ここで利用態様情報は、利用者特定情報の利用態様を示す情報であり、例えばどういう場面でどのように利用されているかなどを示す情報である。例えば、利用者特定情報が商品の購入時の決済に利用されるのであれば、その購入した店舗や場所を特定する情報や、購入した商品の情報、購入金額に関する情報等を示す。また例えば、利用者特定情報がドアロックの解除に利用されるのであれば、そのドアの場所や解除した旨の情報等を示す。
【０００８】
一方、スケジュールサーバは、請求項１に示すように、受信した利用情報に基づいて行動記録や行動予定を含むスケジュールを生成し、生成したスケジュールを送信可能である。行動記録を含むスケジュールを生成して記憶すれば、利用者がいつどこでどのような行動をしたのかを自動的に記録することができる。また、行動予定を含むスケジュールを生成して記憶すれば、自動的に予定の入力が行われる。行動予定は、例えば利用情報の履歴から定期的に行く場所や時間等の周期的なパターンを抽出し、そのパターンに基づいて予測すればよい。これによって、例えば、会社や学校などのパターン化されたスケジュールや、隔週や毎月といったスケジュールも自動的に入力されるので、利用者は、このような定期的な予定をいちいち入力する必要がなくなる。このように行動記録や行動予定の入力を、利用者の手間をかけずに行うことができる。
【０００９】
なお、「送信可能である」とは、例えば、Ｗｅｂを介して閲覧可能な状態にすることや、電子メールやその他のプロトコルで送信することを含む。また、生成するスケジュールは、利用情報そのものでもよいし、利用情報を加工した情報でもよい。
【００１０】
さて、利用者特定情報読取装置が、利用者が所持する利用者特定情報記憶装置から利用者特定情報を読み取る読取装置である場合には、請求項２に示すようにするとよい。このようにすれば、利用者特定情報記憶装置に記憶された利用態様情報を読み出すことで、その利用者の利用態様を知ることができる。
【００１１】
そして、上述のようにして送信されたスケジュールは、ネットワークを介して受信して、閲覧したり記録したりすることができる。例えば、請求項３に示すようにすれば、利用者は、スケジュールサーバに対してスケジュールを要求して表示させ、表示させたスケジュールに対して、スケジュールの追加、変更または削除の指示を入力して、スケジュールを追加したり、変更したり、削除することができる。
【００１２】
さらに、請求項４に示すようにすれば、利用者が自己のスケジュールを端末から容易に得ることができる。すなわち、いちいちキーボードからＩＤやパスワードを入力して認証（利用者の特定）を行わなくても、その利用者のスケジュールを得ることができる。すなわち利用者は容易に自己のスケジュールを利用することができる。
【００１３】
このようなスケジュールはそのまま利用者側の端末に表示して利用者が利用することもできるが、スケジュールサーバが、こうしたスケジュールに基づいて処理を行うこともできる。
【００１４】
例えば、請求項５に示すように、スケジュールに関連する情報を検索し、その検索結果を送信可能とするとよい。このようにすれば、例えばスケジュールの実行する際に必要な交通機関や店舗、施設などの情報、時間、金額などの利用者にとって有益な情報が含まれている可能性の高いナビゲーション情報を、端末から確認することが可能となる。
【００１５】
また例えば、請求項６に示すようにして、スケジュールに基づいて予約を行う機能を備えるようにするとよい。このようにすれば、例えば店舗や施設、病院などの予約を行ったりタクシーなどを呼ぶことが可能となる。これによってスケジュールの実行に必要な手続きを一括して行うこともできる。
【００１６】
また、請求項７に示すようにして、スケジュールを実行する際に必要な経費を、決済することができる。これによって、例えば、各交通機関や、施設などでの決済をスムーズに行うことができる。
【００１７】
特に請求項８に示すようにすると決済を極めてスムーズに行うことができる。すなわち、例えば、スケジュールサーバがスケジュールを実行する際に決済の必要な場所等を検索し、それらの場所における代金を一括して決済し、その決済完了の情報を利用者特定情報読取装置（第１の機能を備えた装置）に対して送信し、その利用者特定情報読取装置は、その決済完了の情報を利用態様情報として前述の利用者特定情報記憶装置に記憶しておく。そして、利用者がスケジュールを実行し、それらの場所で決済のために用いられる利用者特定情報読取装置（第２の機能を備えた装置）で、この決済完了の情報を利用者特定情報記憶装置から読み取って、利用者特定情報読取装置は決済済みであることを確認する。このようにすれば、決済の必要な場所でいちいち決済サーバに決済済みかを確認することなくすぐに決済済みであることが分かる。なお、１の利用者特定情報読取装置は、第１の機能または第２の機能のいずれか一方を備えるようにしてもよいし、第１の機能と第２の機能の双方を備えるようにしてもよい。
【００１８】
さらに、請求項９に示すようにして、例えば、施設の予約や決済に応じて、ポイントを所有者に加算したり減算するようにしてもよい。こうして蓄積されたポイントは、ＩＣカード等の利用者特定情報記憶装置にお金としてキャッシュバックすることや、交通機関や様々な施設等での割引、オンラインショッピングなどで利用することができる。
【００１９】
なお、請求項１０に示すように、請求項１〜９に記載の利用者特定情報読取装置またはスケジュールサーバをコンピュータにて実現する機能は、例えば、それぞれのコンピュータ側で起動するプログラムとして備えることができる。このようなプログラムの場合、例えば、フロッピーディスク、光磁気ディスク、ＣＤ−ＲＯＭ、ハードディスク等のコンピュータ読み取り可能な記録媒体に記録し、必要に応じてコンピュータシステムにロードして起動することにより用いることができる。またネットワークを介してロードして起動することにより用いることもできる。
【図面の簡単な説明】
【００２０】
【図１】実施例の情報システムの構成を示すブロック図である。
【図２】実施例の情報システムにて実行されるスケジュール生成処理を示すフローチャートである。
【図３】実施例の情報システムにて実行される決済処理を示すフローチャートである。
【発明を実施するための形態】
【００２１】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００２２】
本情報システム１は、インターネット５０に接続可能なＩＣカードリーダ／ライタ内蔵装置２０と、インターネット５０に接続された個人情報サーバ３２と、決済を行う決済サーバ３４と、ポイントの管理を行うポイントサーバ３６と、各個人のスケジュールを管理する個人スケジュールサーバ４０とを備えるシステムである。
【００２３】
ＩＣカードリーダ／ライタ内蔵装置２０は、ＩＣカードリーダ／ライタを内蔵したテレビ２１・自動改札機２２・ＰＤＡ２３・携帯電話２４・タイムカード２５・パソコン２６であり、各個人が所有するＩＣカード１０が挿入された際に、ＩＣカード１０に対する情報の書き込み、読み出しを行う。
【００２４】
ＩＣカード１０には、個人情報、お金、ポイント、タイムスタンプ等の情報を記録するためのメモリが備えられており、ＩＣカードリーダ／ライタ内蔵装置２０から、これらの情報を書き込んだり読み出したりすることができる。
【００２５】
ＩＣカードリーダ／ライタ内蔵装置２０は、読み取ったこれらの情報にＩＣカードリーダ／ライタ内蔵装置２０の利用態様を示す情報を付加した利用情報を生成して個人情報サーバ３２へ送信する。また、決済を行う場合には決済情報を決済サーバ３４へ送信し、ポイントの付与を行う場合にはポイントサーバ３６にポイント情報を送信する。例えば、自動改札機２２では、ＩＣカード１０が挿入された際にＩＣカード１０に記憶された個人情報を読み取って、利用情報として読み取った個人情報と、自動改札機を通過した旨の情報と、その改札の名称またはＩＤと、その利用時刻を示すタイムスタンプとを個人情報サーバ３２に送信する。また例えば携帯電話２４でインターネット５０に接続された図示しないショップサーバから商品を購入して決済した場合には、挿入されたＩＣカード１０から個人情報を読み取って、利用情報として読み取った個人情報と、決済があった旨の情報とその購入商品・店名または店舗ＩＤ・タイムスタンプとを個人情報サーバ３２に送信し、金額や読み取った個人情報を含む決済情報を決済サーバ３４に送信する。また、例えばタイムカード２５では、ＩＣカード１０が挿入された際にＩＣカード１０に記憶された個人情報を読み取って、利用情報としてタイムカードにＩＣカード１０が挿入された旨の情報と、そのタイムカードの場所や会社名等の情報またはＩＤと、その挿入時間を示すタイムスタンプとともにこれらの情報を個人情報サーバ３２に送信する。
【００２６】
個人情報サーバ３２は、ＩＣカードリーダ／ライタ内蔵装置２０がＩＣカード１０から読み取って生成した利用情報を受信して記録（記憶）するサーバである。したがって個人情報サーバ３２には、タイムスタンプ、店名・改札名称またはこれらを特定するＩＤ、利用場所情報、個人情報等の利用情報がインターネット５０を介して自動的に蓄積される。したがって、いつ、どこで、誰が、どのようにＩＣカードを利用したのかということを、この蓄積した情報から判断することができる。そして、個人情報サーバ３２は、記憶した利用情報を個人スケジュールサーバ４０へ送信する。
【００２７】
決済サーバ３４は決済情報を受信して決済を行うサーバであり、銀行に設置されている。決済は、銀行口座から自動的に代金を引き落とすことで実行する。また、ポイントサーバ３６はポイント情報を受信してポイントの付与またはポイントの利用を管理するサーバである。
【００２８】
個人スケジュールサーバ４０は、個人情報サーバ３２が送信する利用情報を受信して、各個人用のスケジュール帳を生成して記憶するスケジュール帳生成処理、利用情報からＩＣカード１０の利用者が定期的に行く場所や時間を判断して自動的にスケジュール帳を生成して記憶する定期的スケジュール生成処理、スケジュールの実行に必要な情報を生成するスケジュールナビゲーション処理、スケジュールの実行に必要な施設等の予約を行う予約処理、スケジュールの実行に必要な決済を行う決済処理、施設等のナビゲーション・予約・決済に応じてＩＣカード１０の所有者のポイントを加算・減算するためのポイント情報をポイントサーバへ送るポイント処理、上記各処理によって生成された情報を送信する送信処理、送信処理によって送信された情報に対する応答等を受信して上記各処理で利用可能にする受信処理を行う。なお、「スケジュール帳を生成する」とは、記憶されたスケジュール帳の内容に、新たなスケジュールを追加することをいう。
【００２９】
スケジュール生成処理は、受信した利用情報から個人毎の利用情報を抽出して、スケジュール帳を生成する処理である。この処理によって生成されたスケジュール帳は送信処理によって送信される。これによって、そのＩＣカード１０の所有者が、いつ、どこにいたのかといった情報を知ることができる。したがって、企業等におけるタイムカードのような役割を、タイムカード２５以外のＩＣカードリーダ／ライタ内蔵装置２０も果たすことができる。
【００３０】
定期的スケジュール生成処理は、受信した利用情報から利用者個人毎の利用情報を抽出して、この抽出した情報から利用パターンを割り出して、ＩＣカードの所有者が定期的に行く場所や時間を判断し、自動的にスケジュール帳を生成する処理である。このようにして、会社や学校などのパターン化されたスケジュールや、隔週や毎月といったスケジュールが自動的に入力される。
【００３１】
スケジュールナビゲーション処理は、記憶されたスケジュール帳に基づいて、そのスケジュールを実行する際に必要な交通機関や、店舗、施設などの情報、（例えば、所要時間や金額に関連する情報など）のナビゲーション情報をインターネット５０に接続された図示しない検索サーバからスケジュール帳の内容をキーとして検索し、検索結果を得る処理である。そして送信処理によってこの検索結果は送信される。このようにして利用者はスケジュールを実行する際に必要な情報を容易に得ることができる。なお、スケジュールナビゲーション処理は、過去のスケジュール帳で類似の利用パターンの部分を抽出し、その利用パターンに基づいてナビゲーション情報を生成するとよい。このようにすれば、過去実行したスケジュールに基づいてスケジュールを生成するため正確なナビゲーションを行うことができる。
【００３２】
予約処理は、送信処理によって送信されたスケジュール帳の中で利用者から予約指示の入力された施設等を受信処理によって受信し、予約を行う処理である。これは、インターネット５０に接続された各施設の予約サイトに、予約情報を送ることで行う。このようにして、例えば店舗や病院などの施設の予約を行ったり、タクシーを呼んだりすることができる。またスケジュールの実行に必要な手続きを一括して行うこともできる。
【００３３】
決済処理は、送信処理によって送信されたスケジュール帳の中で利用者から決済指示の入力された決済対象を受信処理によって受信し、その決済対象について決済を行う処理である。この決済は、決済サーバ３４へ購入代金を含む決済情報を送信して決済サーバ３４に依頼して行う。決済サーバ３４は利用者の口座から決済情報に含まれる決済対象の施設等の口座へ代金を振り込む。そして、決済のために設置されたＩＣカードリーダ／ライタ内蔵装置２０（例えば、自動改札２２等）にＩＣカード１０が挿入された際には、ＩＣカードリーダ／ライタ内蔵装置２０は、決済サーバ３４に決済済みかを問い合わせて、決済済みであればそのまま決済完了後の状態にするための所定の処理（例えば改札を開ける等）を行う。したがって、各交通機関や施設における決済処理をスムーズに行うことができる。また、スケジュールの実行に必要な決済を一括してオンラインで行うことができる。
【００３４】
なお、決済処理ではさらに、決済済みの施設等を特定する情報をＩＣカード１０に記憶しておくようにしてもよい。この場合、その施設等で決済のために設置されたＩＣカードリーダ／ライタ内蔵装置２０（例えば、自動改札２２等）に、ＩＣカード１０が挿入された際に、ＩＣカードリーダ／ライタ内蔵装置２０がＩＣカード１０からその情報を読み取り、その施設等について決済済みであればそのまま決済完了後の状態にするための所定の処理（例えば改札を開ける等）を行うようにする。このようにすれば、決済サーバ３４への通信をおこなう必要がないため極めてスムーズに決済の必要な施設等を利用することができる。
【００３５】
ポイント処理は、予約処理や決済処理を行った際にポイントサーバ３６へポイントの加算または減算を要求する処理である。蓄積されたポイントはＩＣカードにお金としてキャッシュバックさせたり、交通機関や様々な施設等での割引やオンラインショッピングで利用することができる。
【００３６】
送信処理は、スケジュール帳や、スケジュールナビゲーション処置、予約処理、決済処理、ポイント処理によって生成された情報を表示装置及び入力装置を備えたＩＣカードリーダ／ライタ内蔵装置２０（例えば、テレビ２１、ＰＤＡ２３、携帯電話２４、ＰＣ２６など）または、図示しないＩＣカードリーダ／ライタを内蔵しない各種端末（例えば、ブラウザ機能を備えるパソコン、ＰＤＡ、携帯電話）等に表示可能な形式（例えばＷｅｂページ）で送信する処理である。
【００３７】
なお、ＩＣカードリーダ／ライタ内蔵装置２０がスケジュール帳の送信を要求する場合には、ＩＣカードリーダ／ライタ内蔵装置２０は個人情報をＩＣカード１０から読み取って、その個人に関するスケジュール帳を個人スケジュールサーバ４０へ要求するとよい。このようにすることで、利用者はＩＣカード１０をＩＣカードリーダ／ライタ内蔵装置２０に挿入するだけで自己のスケジュールを確認することができる。
【００３８】
次に、以上のような情報システム１によってスケジュールを生成する処理とそのときの利用情報の流れを図２、図１をそれぞれ参照して説明する。
図２は、スケジュールの生成処理の一例を示すフローチャートである。Ｓ１１０では、ＩＣカード１０をＩＣカードリーダ／ライタ内蔵装置２０が読み取る。続くＳ１２０では、ポイントサーバ３６は利用したポイント（利用情報）を受信して記録する。Ｓ１３０では、個人情報サーバ３２は利用情報を記録する。決済が必要な場合には（Ｓ１４０：ＹＥＳ）、決済サーバ３４は、決済情報を記録し、決済を行う（Ｓ１５０）。そしてＳ１６０では、個人情報サーバ３２は、利用情報を個人スケジュールサーバ４０へ送信する。Ｓ１７０では、個人スケジュールサーバ４０は、その利用情報を受信して記憶する。そしてＳ１８０では、その記憶した利用情報からスケジュール帳を生成して配信する。
【００３９】
次に、予約の必要なスケジュールを実行する際の処理の一例を図３に示して説明する。図３のＳ３１０では、ＩＣカードリーダ／ライタ内蔵装置２０が個人スケジュールサーバ４０にアクセスしてスケジュール帳を取得し、予約の必要なスケジュールを表示する。続くＳ３２０では、表示に基づいて利用者がＩＣカードリーダ／ライタ内蔵装置２０にお店の予約やタクシーの予約を入力する。入力された予約指示はＩＣカードリーダ／ライタ内蔵装置２０から個人スケジュールサーバ４０に送信され、Ｓ３３０で個人スケジュールサーバ４０が予約処理を行う。そして個人スケジュールサーバ４０は予約を記録する。Ｓ３５０で予約したスケジュールを実行すると、Ｓ３６０で予約した場所に設置されているＩＣカードリーダ／ライタ内蔵装置２０がＩＣカード１０の個人情報を読み取り利用情報として個人情報サーバ３２へ送信し、決済情報を決済サーバ３４へ送信する。そしてＳ３７０では、その決済情報に基づいて銀行に設置された決済サーバ３４は必要な金額を決済する。すなわち、利用者の銀行の口座から自動的に代金を引き落とす。そして、Ｓ３８０では個人スケジュールサーバ４０が個人情報サーバ３２から受信した利用情報を記録する。このようにＩＣカード１０の読取とともに決済を完了させることができる。
【００４０】
また、例えば、本情報システム１は、図１の最下段に示した矢印の順で利用することもできる。すなわち、朝、テレビ２１でＩＣカード１０のデータを読み取り、その日の予定をスケジュール帳を見て確認する。この予定は、前述の定期的スケジュール生成処理によって、パターン化されたスケジュールのデータに基づいて組まれているので、必要に応じて修正する。次に自動改札機２２にＩＣカード１０を通して電車の利用を記録する。ＰＤＡ２３の画面上には、予約の必要なスケジュールを表示することができ、お店やタクシーなどの予約を一括して行うことができる。また、決済はＩＣカード１０で一括して行うことができる。会社に着いたらＩＣカード１０をタイムカード２５に通すことで、出勤時間が登録される。そして、ＰＣ２６に、ＩＣカード１０を挿入することで、すべての行動の記録とスケジュールを確認・追加・変更することができる。
【００４１】
なお本実施例においてはＩＣカード１０はＩＣカードリーダ／ライタ内蔵装置２０に挿入して読み取ることとしたが、例えばＩＣカードリーダ／ライタ内蔵装置２０から離れた場所から無線等で読み取る非接触方式のＩＣカードでもよい。
【００４２】
本実施例において、テレビ２１・自動改札機２２・ＰＤＡ２３・携帯電話２４・タイムカード２５・パソコン２６等のＩＣカードリーダ／ライタ内蔵装置２０が特許請求の範囲における利用者特定情報読取装置に相当し、個人情報サーバ３２及び個人スケジュールサーバ４０がスケジュールサーバに相当する。
【符号の説明】
【００４３】
１…情報システム
１０…ＩＣカード
２０…ＩＣカードリーダ／ライタ内蔵装置
２１…テレビ
２２…自動改札機
２３…ＰＤＡ
２４…携帯電話
２５…ＰＣ
２５…タイムカード
３２…個人情報サーバ
３４…決済サーバ
３６…ポイントサーバ
４０…個人スケジュールサーバ
５０…インターネット
【図１】
2010160812.tif 000003
【図２】
2010160812.tif 000004
【図３】
2010160812.tif 000005